(57)【特許請求の範囲】
【請求項１】
清浄な呼吸用気体を供給する気体供給源と、
顔面の上唇から上方の部位を覆う上カバー体であって、通気性を有する不織布から成る帯状の第１上カバー部と、前記第１カバー部に連なって扁平な筒状に構成された、非通気性のシート状素材から成り、前記第１上カバー部とは反対側の側縁部に複数の透孔が前記長手方向に間隔をあけて設けられる第２上カバー部とを含む上カバー体と、
顔面の下唇から下方の部位を覆う下カバー体であって、通気性を有する不織布から成り、前記第２上カバー部の下側縁部に、上側縁部が重なった状態で配置された、帯状の下カバー体と、
前記上カバー体の長手方向両側部および前記下カバー体の長手方向両側部のそれぞれが、該長手方向に垂直な幅方向に並んで配設された状態で接合される一対の接合部と、
前記一対の接合部のそれぞれに長手方向両端部が接合された、可撓性材料から成る一対の耳掛け紐と、
前記第２上カバー部と前記気体供給源とを接続し、前記気体供給源内の前記呼吸用気体を前記第２上カバー部内に導く管体と、を備えていることを特徴とするマスク装置。
【請求項２】
前記管体には、該管体を通過する前記呼吸用気体の流量を制御する流量調整弁が接続されていることを特徴とする請求項１に記載のマスク装置。
【請求項３】
前記呼吸用気体は、加湿空気であることを特徴とする請求項１または２に記載のマスク装置。
【発明の詳細な説明】
【技術分野】
【０００１】
本発明は、飲食などのために口を開放することができるマスク装置に関する。
【背景技術】
【０００２】
鼻と口を覆うマスクを着用したままで、飲食などのため口を開放することができる従来技術のマスク装置は、例えば特許文献１に記載されている。この従来技術では、柔軟で折り曲げ可能な素材で鼻と口を覆うマスク本体と、その両側に耳掛け紐を備えたマスクにおいて、上側紐端をマスク本体の側縁の上端から引き出し、耳掛け紐の下側紐端の取り付け位置を、マスク本体側縁の下端部と中間部の位置に変更できるようにし、通常は耳掛け紐を下端部の位置に取り付けて使用し、飲食時などは耳掛け紐を中間部の位置に取り付け、口を覆っているマスク本体の下半部を、鼻を覆っている上半部に重ねて折り曲げることによって、鼻を覆ったままで口を開放できるように構成されている。
【先行技術文献】
【特許文献】
【０００３】
【特許文献１】実用新案登録第３１１３８２７号公報
【発明の概要】
【発明が解決しようとする課題】
【０００４】
上記の特許文献１に記載される従来技術では、口を覆っているマスク本体の下方部分を、上方に折り返すように構成されるので、鼻と口を覆うマスクを着用した状態のままで、飲食などのために口を開放することはできるが、開放した口に埃などの空中浮遊物、他人から飛来した唾液の飛沫などが直接口に入るおそれがあり、ウイルス感染を阻止することができないという課題を有する。
【０００５】
したがって本発明の目的は、口を開放した状態であっても、口への他人の飛沫などの異物の侵入を確実に阻止することができ、ウイルス感染防止に寄与することができるマスク装置を提供することである。
【課題を解決するための手段】
【０００６】
本発明は、清浄な呼吸用気体を供給する気体供給源と、
顔面の上唇から上方の部位を覆う上カバー体であって、通気性を有する不織布から成る帯状の第１上カバー部と、前記第１カバー部に連なって扁平な筒状に構成された、非通気性のシート状素材から成り、前記第１上カバー部とは反対側の側縁部に複数の透孔が前記長手方向に間隔をあけて設けられる第２上カバー部とを含む上カバー体と、
顔面の下唇から下方の部位を覆う下カバー体であって、通気性を有する不織布から成り、前記第２上カバー部の下側縁部に、上側縁部が重なった状態で配置された、帯状の下カバー体と、
前記上カバー体の長手方向両側部および前記下カバー体の長手方向両側部のそれぞれが、該長手方向に垂直な幅方向に並んで配設された状態で接合される一対の接合部と、
前記一対の接合部のそれぞれに長手方向両端部が接合された、可撓性材料から成る一対の耳掛け紐と、
前記第２上カバー部と前記気体供給源とを接続し、前記気体供給源内の前記呼吸用気体を前記第２上カバー部内に導く管体と、を備えていることを特徴とするマスク装置である。
【０００７】
また本発明の前記管体には、該管体を通過する前記呼吸用気体の流量を制御する流量調整弁が介在されていることを特徴とする。
【０００８】
また本発明の前記呼吸用気体は、加湿空気であることを特徴とする。
【発明の効果】
【０００９】
本発明によれば、気体供給源内の呼吸用気体は管体を通って第２上カバー部内へ供給され、供給された呼吸用気体の圧力によって、非通気性の第２上カバー部が膨らみ、各透孔から呼吸用気体が放出され、口の直前をいわゆるエアーカーテン等の噴射流を形成して口腔内への異物の侵入を防止することができる。装着者が口を開かない状態では、第２上カバー部の下側縁部と下カバー体の上側縁部とは重なっており、飲食などのために口を開くと、それに追従して上カバー体と下カバー体との間には開口が形成されるが、この開口が前述のエアーカーテンによって覆われ、飛沫や空中浮遊物などの異物の口腔内への侵入を阻止することができる。
【００１０】
また本発明によれば、管体には、該管体を通過する前記呼吸用気体の流量を制御する流量調整弁が介在されているので、呼吸用気体の第２上カバー部内への供給圧力を使用者が適切な風の有無などに応じて圧力に調整することができ、より適切な風量の噴射流を形成して、より確実に口腔内への異物の侵入を阻止することができる。
【００１１】
また本発明によれば、前記呼吸用気体は、加湿空気であるので、使用者の口の直前に加湿空気の噴射流が形成されるので、口腔内の乾きを抑制することができる。
【図面の簡単な説明】
【００１２】
【図１】本発明の一実施形態のマスク装置１を示す斜視図であり
【図２】図１の切断面線ＩＩ−ＩＩから見た拡大断面図である。
【図３】マスク装置１のマスク本体１ａの正面図である。
【図４】管継ぎ手部１３付近の斜視図である。
【図５】本発明の他の実施形態のマスク装置１ａに用いられる携帯型空気供給装置３０の構成を簡素化して示す断面図である。
【発明を実施するための形態】
【００１３】
以下、添付図面を参照して、本発明のマスク装置の実施形態について説明する。
【００１４】
図１は、本発明の一実施形態のマスク装置１を示す斜視図であり、図２は図１の切断面線ＩＩ−ＩＩから見た拡大断面図である。図３は、マスク装置１のマスク本体１ａの正面図である。本実施形態のマスク装置は、清浄な呼吸用気体が圧縮された状態で充填された気体供給源としてのボンベ２と、顔面３の上唇４ａから上方の部位を覆う上カバー体５ａであって、通気性を有する不織布から成る帯状の第１上カバー部５ａ１、および、不織布の表面が樹脂によって被覆された非通気性のシート状素材が２層重なって扁平な筒状に構成され、第１上カバー部５ａ１とは反対側の側縁部６に複数の透孔７が長手方向に互いに間隔をあけて設けられる第２上カバー部５ａ２を含む上カバー体５と、顔面３の下唇４ｂから下方の部位を覆う下カバー体５ｂであって、通気性を有する不織布から成り、第２上カバー部５ａ２の幅方向の第１上カバー部５ａ１とは反対側の下側縁部８に、第２上カバー部５ａ２側の上側縁部９が重なった状態で配置され、第２上カバー部５ａ１の長手方向に沿って延びる帯状の下カバー体５ｂと、上カバー部５ａ１の長手方向両側部および下カバー体５ｂの長手方向両側部のそれぞれが前記幅方向に隣接した状態で接合される一対の接合部１０ａ，１０ｂと、一対の接合部１０ａ，１０ｂのそれぞれに長手方向両端部が接合された、可撓性材料から成る一対の耳掛け紐１１ａ，１１ｂと、第２上カバー部５ａ２とボンベ２とを接続し、ボンベ２内の呼吸用気体を第２上カバー部５ａ２内に導く管体１２と、を備えている。上カバー体５ａと下カバー体５ｂと含んでマスク本体１ａが構成される。
【００１５】
各透孔７の流路断面は円形であってもよく、細長い長円形状スリット状であってもよく、口腔内へ侵入しようとする異物の進行を阻止し得る適度の流速および流量の噴射流を確保できれば、その他の形状であってもよく、パンチング等によって容易に形成することができる形状が好ましいい。
【００１６】
各接合部１０ａ，１０ｂは、例えば熱可塑性樹脂から成る細幅のテープによって実現されてもよい。このような接合部１０ａ，１０ｂ上に上カバー部５ａ１の長手方向両側部および下カバー体５ｂの長手方向両側部のそれぞれを重ねた状態で、加圧・加熱して熱融着されてもよい。他の実施形態では、前述の細幅のテープを用いすに、上カバー部５ａ１の長手方向両側部および下カバー体５ｂの長手方向両側部の各一部を互いに重ね、ホットメルト接合してもよい。
【００１７】
１２管体には、管体１２を通過する呼吸用気体の流量を制御する流量調整弁Ｖ２が接続される。
【００１８】
不織布としては、ポリプロピレンスパンボンド、ポリエチレンスパンボンド、ナイロンスパンボンド等が挙げられる。マスク本体１ａの大きさの一例としては、左右方向に１２０ｍｍ〜２１０ｍｍであってもよく、上下方向に７０ｍｍ〜１００ｍｍであってもよい。呼吸用気体は、加湿空気であることが好ましい。これによって、飲食、会話などのために使用者が口を開いている時間が長い場合であっても、第２上カバー部５ａ２の各透孔７から放出される呼吸用気体の噴射流が加湿空気であるので、口腔内の乾燥を抑制することができる。
【００１９】
ボンベ２は、アルミニウム合金などの軽量な金属から成る小型の携帯用圧力容器であり、ヘッド部には内部の呼吸用気体である圧縮空気を外部へ適切な放出圧力に圧力調整して放出可能な容器弁Ｖ１が設けられている。管体１２には流量調整弁Ｖ１が介在され、管体１２は、この流量調整弁Ｖ２によって分割された２つの部分１２ａ，１２ｂから成る。第２上カバー部５ａ２の長手方向一側部には、圧縮空気を第２上カバー部５ａ２によって規定される内部空間内へ導入し、図４に示されるように、管体１２の下流側の部分１２ｂの端部を着脱可能に接続することができる管継ぎ手部１３が設けられる。管体１２の素材としては、可撓性を有する樹脂、例えばナイロンチューブであってもよい。
【００２０】
上カバー部５ａは、不織布の表面が樹脂によって被覆することによって非通気性を達しするように構成されてもよい。このような第２上カバー部５ａ２は、扁平な筒状に構成されるので、呼吸用気体が供給されることによって、膨張し、これによってマスク本体１ａの曲げ剛性が高くなり、第２上カバー部５ａ２は適度の内圧を保ち、これによって各透孔７から呼吸用気体を安定して放出することができる。
【００２１】
通気性を有する第１上カバー部５ａ１および下カバー部５ｂの通気度としては、ＪＩＳＰ８１１７（２００９年改正版）によって測定される値であり、一定の圧力のもとで１００ｍｌの空気が６．４２ｃｍ２の面積を通過する時間として定義される。したがって、通気度の数値が大きいことは空気の通過に時間がかかること、即ち通気性が低いことを意味している。逆に、通気度の数値が小さいことは通気性が高いことを意味している。このように、通気度の数値の大小と通気性の高低とは逆の関係を示す。このような通気度は、王研式通気度計で計測することができる。本実施形態では、通気度が３００００秒／１００ｍＬ以上となるものを「難通気」、８００００秒／１００ｍＬ以上となるものを「非通気」であってもよく、したがって第１上カバー部５ａ１および下カバー体５ｂの通気度は、難通気の値未満であり、第２上カバー部５ａ２の通気度は非通気の値であってもよい。
【００２２】
上カバー体５ａおよび下カバー体５ｂの表面には、防カビ剤または抗菌剤が塗布またコーティング等の手法で被覆されてもよい。防かび剤および抗菌剤の種類は、防カビまたは抗菌効果を有するものであれば特に限定されないが、例えば、５−クロロ−Ｎ−メチルイソチアゾロン、メチレンビスチオシアネート、２−ブロモ−２−ニトロプロパン−１，３−ジオール、グルタルアルデヒド、ヨードプロピニルブチルカーバメート、ピリジンチオール−Ｎ−オキシドの亜鉛塩、１，２−ベンゾイソチアゾロン、１，２−ジブロモ−２，４−ジシアノブタン、グルコン酸クロルヘキシジン、２−イソプロピル−５−メチルフェノール、３−メチル−４−イソプロピルフェノール、オルトフェニルフェノール、パラオキシ安息香酸メチル、パラオキシ安息香酸エチル、パラオキシ安息香酸プロピル、パラオキシ安息香酸ブチル、パラクロロメタキシレノール、パラクロロタクレゾール、ポリリジン、塩化ベンザルコニウム、塩化ジデシルジメチルアンモニウム、Ｎ−ｎ−ブチルベンゾイソチアゾロン、Ｎ−オクチルイソチアゾロン、２−（４−チアゾリル）ベンズイミダゾール、２−ベンズイミダゾリルカルバミン酸メチル、テトラクロロイソフタロニトリル、ジヨードメチルパラトリルスルホン、パラクロロフェニル−３−ヨードプロパギルホルマール、２，３，５，６−テトラクロロ−４−（メチルスルホニル）ピリジン、脂肪酸グリセリンエステル、ヒノキチオール等の中からえらばれた１種を用いることができる。
【００２３】
他の実施形態では、マスク本体１ａの保湿機能を向上するために、不織布にセルロースナノファイバーを塗布してもよい。セルロースファイバーとは、パルプ繊維を解繊して得られる微細なセルロース繊維をいい、一般的に平均繊維幅がナノサイズ（ １ ｎ ｍ 以上、１ ０ ０ ０ ｎ ｍ 以下） のセルロース微細繊維を含むセルロース繊維をいう。
【００２４】
セルロースファイバーの製造に使用可能なパルプ繊維としては、広葉樹パルプ（ＬＢＫＰ）、針葉樹パルプ（ＮＢＫＰ）等の化学パルプ、晒サーモメカニカルパルプ（ＢＴＭＰ）、ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ）、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）等の機械パルプ、茶古紙、クラフト封筒古紙、雑誌古紙、新聞古紙、チラシ古紙、オフィス古紙、段ボール古紙、上白古紙、ケント古紙、模造古紙、地券古紙、更紙古紙等から製造される古紙パルプ、古紙パルプを脱墨処理した脱墨パルプ（ＤＩＰ）などが挙げられる。
【００２５】
本実施形態によれば、ボンベ２内の呼吸用気体は管体１２を通って第２上カバー部５ａ２内へ供給され、供給された呼吸用気体の圧力によって、非通気性の第２上カバー部５ａ２が膨らみ、各透孔７から呼吸用気体が放出され、口の直前をいわゆるエアーカーテン等の噴射流を形成して口腔内への異物の侵入を防止することができる。装着者が口を開かない状態では、第２上カバー部５ａ２の下側縁部８と下カバー体５ｂの上側縁部９とは重なっており、飲食などのために口を開くと、それに追従して上カバー体５ａと下カバー体５ｂとの間には開口が形成されるが、この開口が前述のエアーカーテンによって覆われ、飛沫や空中浮遊物などの異物の口腔内への侵入を阻止することができる。
【００２６】
また本実施形態によれば、管体１２には、該管体１２を通過する前記呼吸用気体の流量を制御する流量調整弁Ｖ２が介在されているので、呼吸用気体の第２上カバー部ａ２内への供給圧力を使用者が適切な風の有無などに応じて圧力に調整することができ、より適切な風量の噴射流を形成して、より確実に口腔内への異物の侵入を阻止することができる。
【００２７】
また本実施形態によれば、呼吸用気体は、加湿空気であるので、使用者の口の直前に加湿空気の噴射流が形成され、これによって口腔内の乾きを抑制することができる。低温低湿環境による咽喉、鼻の乾燥感の緩和、鼻づまり等による不快感が低減され、リラックス効果が得られ、心地良くなることができる。また、入眠感も誘発される。さらに、鼻腔の粘膜が加温加湿されるため、異物排出機能が高まり、風邪などの予防効果が期待できる。
【００２８】
図５は本発明の他の実施形態のマスク装置１ａに用いられる携帯型空気供給装置３０の構成を簡素化して示す断面図である。本実施形態では、前述のボンベ２に代えて、気体供給源である携帯型空気供給装置３０が用いられる。ボンベ２は使用者が携帯で可能大きさおよび重量に制限がるため、長時間使用できる空気の充填量が少なく、短時間、例えば２０〜３０分程度で新たなものと交換を要するため、長時間連続使用可能な空気供給源として使用に供することができる携帯型空気供給装置３０を提案する。この空気供給装置３０は、使用者の衣服のポケットなどに収容して携帯可能とするため、例えば１５０ｍｍ×７０ｍｍ×４０ｍｍ程度の立方体形状とされる。空気供給装置３０は、合成樹脂製の中空直方体状のハウジング３１と、ハウジング３１の内面から突出する、弁孔３２を有する正面視形状が四角形の隔壁３３と、隔壁３３によって規定された開口を塞ぐように周縁部が隔壁３３に固定されたダイヤフラム３４と、ダイヤフラム３４を振動させる電磁ソレノイド３５と、殺菌灯３６と、除塵フィルタ３７と、電磁ソレノイド３５に駆動電力を供給する電源である電池３８と、ハウジング３１に設けられる管継ぎ手４２と、を含んで構成される。
【００２９】
ハウジング３１内の空間は、前述の隔壁３３およびダイヤフラム３４によって第１空間３９と第２空間４０とに仕切られ、第１空間に前述の電磁ソレノイド３５、殺菌灯３６おおよび除塵フィルタ３７が設けられる。殺菌灯３６はいわゆるＵＶランプであり、紫外線を発生する。第１空間３９に除塵フィルタを通過して流入した空気には、殺菌灯３６から発生される紫外線が照射され、第１空間３６内の空気中にウイルスが存在してもそのウイルスを死滅させることができる。
【００３０】
第１空間３６内で紫外線によって殺菌された清浄な空気は、ダイヤフラム３４の振動に伴う吸引動作によって弁孔３２を通って第２空間４０へ流入する。隔壁３３には、弁孔３２が第２空間４０側から塞がれるように逆止弁４１が設けられる。逆止弁４１は、例えば軟質樹脂シートから成ってもよい。逆止弁４１によって、ダイヤフラム３４が電磁ソレノイド３５によって駆動されている状態で、弁孔３２を介して第１空間３９から第２空間４０への空気の流れを許容し、第２空間４０から第１空間３９への空気の流れを遮断し、第２空間４０内を正圧に維持することができる。これによって管体１２が接続される管継ぎ手４２を経て、マスク本体１ａに第２空間４０内の清浄な加圧空気を長時間にわたって連続して供給することができる。
【００３１】
以上、本発明の実施形態について詳細に説明したが、また、本発明は上述の実施の形態に限定されるものではなく、本発明の要旨を逸脱しない範囲内において、種々の変更、改良等が可能である。上記各実施形態をそれぞれ構成する全部または一部を、適宜、矛盾しない範囲で組み合わせ可能であることは、言うまでもない。
【符号の説明】
【００３２】
１  マスク装置
１ａ  マスク本体
２  ボンベ
３  顔面
４ａ  上唇
５ａ  上カバー体
５ａ１  第１上カバー部
６  側縁部
７  透孔
５ａ２  第２上カバー部
５  上カバー体
４ｂ  下唇
５ｂ  下カバー体
５ａ２  第２上カバー部
８  下側縁部
９  上側縁部
１０ａ，１０ｂ  接合部
１１ａ，１１ｂ  耳掛け紐
１２  管体
【要約】      （修正有）【課題】飲食などのために口を開放した状態であっても、異物の侵入を確実に阻止することができ、ウイルス感染防止に寄与することができるマスク装置を提供する。【解決手段】清浄な呼吸用気体を吐出するボンベ２と、通気性を有する不織布から成る第１上カバー部５ａ１、および、不織布の表面が樹脂によって被覆された非通気性のシート状素材が２層重なって扁平な筒状に構成され複数の透孔７が長手方向に互いに間隔をあけて設けられる第２上カバー部５ａ２を含む上カバー体５ａと、通気性を有する不織布からなる帯状の下カバー体５ｂと、上カバー部５ａ１の長手方向両側部および下カバー体５ｂの長手方向両側部のそれぞれが前記幅方向に隣接した状態で接合される一対の接合部１０ｂと、一対の接合部１０ｂのそれぞれに長手方向両端部が接合された一対の耳掛け紐１１ｂと、第２上カバー部５ａ２とボンベ２とを接続する管体１２と、を備える。【選択図】図１【図１】
0006975305.tif 000002
【図２】
0006975305.tif 000003
【図３】
0006975305.tif 000004
【図４】
0006975305.tif 000005
【図５】
0006975305.tif 000006